(57)【要約】【課題】干満帯の護岸の前面に枠状ブロックを階段状あるいは直立に泥や石等を適宜詰めた状態で積み上げることにより、干満時の各高さで生息する生物相に配慮し、さらにその枠状ブロック内に供給される水の浄化効果も期待できる枠積式生物共生護岸を提供する。【解決手段】干満帯の護岸の前面に接して、干満時の各高さに対応して、泥４を充填した枠状ブロック５Ａ〜５Ｄ内の底部に、礫、砂等のフィルター材を敷設して、泥の流出を防ぐと共に、フィルター材で濾過されたゴミ等を含まない水を枠状ブロック内に供給させるようにした枠状ブロックを階段状あるいは直立に積み上げ、各高さで生息する生物相に配慮可能とした枠積式生物共生護岸。【選択図】　　図１
2004068272.tif 000002
【特許請求の範囲】
【請求項１】
干満帯の護岸の前面に接して、干満時の各高さに対応して、泥を充填した枠状ブロック内の底部に、礫、砂等のフィルター材を敷設して、泥の流出を防ぐと共に、フィルター材で濾過されたゴミ等を含まない水を枠状ブロック内に供給させるようにした枠状ブロックを階段状あるいは直立に積み上げ、各高さで生息する生物相に配慮可能とした枠積式生物共生護岸。
【請求項２】
枠状ブロック内に充填した泥の表面に石等を適度に配設し、小動物の生息場所を確保するようにした請求項１記載の枠積式生物共生護岸。
【発明の詳細な説明】
【０００１】
【発明の属する技術分野】
本発明は、主として干満帯の護岸の前面に泥や石を詰めた枠状ブロックを積上げることで、水際に生息する動植物の生息空間を創造する枠積式生物共生護岸に関する。
【０００２】
【従来の技術】
従来、護岸の前面に接して階段状に連続して枡状の構造体を配設し、その構造体の内部に砂等の充填材料を充填して、その水域の潮位に応じていずれかの構造体が水面位置に存在するような深さにすることにした、例えば特許第３０９６７２０号の人工砂浜・干潟等の造成地に関する発明等がなされている。
【０００３】
この場合、護岸の前面に砂浜や干潟を造成してもその護岸に接する水域が大幅に狭くなることがなく、また造成に必要な砂も少量で足り、護岸の垂直壁に対応して生息していた付着生物や魚などの生息に影響を及ぼすおそれがなくなるという効果は期待されるが、その構造体の内部へはその表面からしか水は入らないので水が構造体内でよどんでしまい、水の浄化作用が行なわれないので動植物の生息に適する環境を造成することの配慮はなされていなかった。
【０００４】
【発明が解決しようとする課題】
本発明は、干満帯の護岸の前面に、干満時の各高さに対応した枠状ブロックを階段状、あるいは直立に泥や石等を適宜詰めた状態で積み上げることにより、干満時の各高さで生息する生物相に配慮し、さらにその枠状ブロック内に供給される水の浄化効果も期待できて、小動物の生息場所や隠れ場所を確保できる枠積式生物共生護岸を提供する。
【０００５】
【課題を解決するための手段】
本発明は、干満帯の護岸の前面に接して、干満時の各高さに対応して、泥を充填した枠状ブロック内の底部に、礫、砂等のフィルター材を敷設して、泥の流出を防ぐと共に、フィルター材で濾過されたゴミ等を含まない水を枠状ブロック内に供給させるようにした枠状ブロックを階段状あるいは直立に積み上げ、各高さで生息する生物相に配慮可能とした枠積式生物共生護岸からなり、また本発明は、上記の枠状ブロック内に充填した泥の表面に石等を適度に配設し、小動物の生息場所を確保するようにした枠積式生物共生護岸からなる。
【０００６】
【発明の実施の形態】
以下図面を参照して本発明の枠積式生物共生護岸の実施の形態につき説明するが、図１から図８はその一実施形態における傾斜護岸タイプの護岸の説明用の図面であり、図１はその側断面図、また図２は図１の正面図であり、そして図３は図１の矢印Ａ部分の要部拡大断面図である。
【０００７】
まず、満潮時水位Ｈ．Ｗ．Ｌ．及び干潮時水位Ｌ．Ｗ．Ｌ．で示す干満潮帯の上部工１及び複数の鋼矢板２などからなる護岸の前面に接して、その干満時の高さに対応して、泥４を充填した複数の枠状ブロック（図中で便宜上１段目から４段目までの各枠状ブロックを５Ａ，５Ｂ，５Ｃ，５Ｄで示している）を水底の基礎捨石３上に積み上げることにより、これらの枠状ブロック５Ａから５Ｄ上に、水際で生息する動植物の生息空間を創造する。
【０００８】
次に、上記のごとく泥４を充填した各枠状ブロック５Ａから５Ｄ内の底部に図３で示すように砕石７などの礫や砂８のフィルター材１０を敷設することにより、枠状ブロック５Ａ〜５Ｄ内の泥４の流出を防止すると共に、ゴミ等を含まないフィルター材１０により濾過された水が枠状ブロック５Ａ〜５Ｄ内にその下部から供給されるようにしている。
さらに、枠状ブロック５Ａ〜５Ｄ内に充填した泥４の表面に石１１等を適度に配設し、小動物の生息場所や隠れ場所を確保するようにしている。
【０００９】
なお、上記枠状ブロック５Ａ〜５Ｄは鉄筋コンクリート等の枠状構造からなり、図４の１段目、図５の２段目、図６の３段目、図７の４段目のごとき形状に形成され、干潮時水位Ｌ．Ｗ．Ｌ．付近までに敷設した基礎捨石３上に１段目から４段目まで順次積み上げ、各枠状ブロック５Ａ，５Ｂ，５Ｃの奥側空間には、中詰石９を充填して重力式タイプの護岸構造を形成しているが、この実施形態の場合は、護岸の前面の設置空間に比較的余裕がある場合に適した構造となっている。
なお図８は、図４から図７の各枠状ブロック５Ａ〜５Ｄの正面図である。
【００１０】
次に、図９から図１５までは本発明の他の実施形態における直立護岸タイプの護岸の説明用の図面であり、図９はその側断面図、また図１０は図９の正面図であり、そして図１１は図９の矢印Ｂ部分の要部拡大断面図であり、図１から図８までの実施形態とそれぞれ同じ部分は同じ符号で示している。
【００１１】
この図９及び図１０の実施形態においては、基礎捨石３のマウンド等の上に直立に枠状ブロック５Ｅ，５Ｆを積上げる構造となっており、護岸の前面の設置空間に余裕が無い場合に適した構造である。
【００１２】
即ち、この実施形態では、基礎捨石３上に、図１２の平面図及びその前面図の図１３に示す大型の枠状ブロック５Ｅを設置し、その内部に中詰石９を充填し、その上部に図１４の平面図及びその前面図の図１５に示す小型の枠状ブロック５Ｆを積み上げ、この枠状ブロック５Ｆの底部には、中詰石９及び砕石７や砂８等のフィルター材を敷き、枠状ブロック５Ｆ内の泥４へこのフィルター材により濾過された水が枠状ブロック５Ｆの下部から潮位の干満時に供給されるようになっている。
【００１３】
【発明の効果】
以上に説明した本発明の枠積式生物共生護岸によれば、枠内に泥や石を詰めたブロックを階段状あるいは直立に積み上げることにより、水際で生息する動植物の生息空間を創造すると共に、干満帯の各高さで生息する生物相に配慮された環境を護岸の前面に形成できる。
【００１４】
さらに、干満帯の護岸の前面に接して干満時の高さに応じた枠状のブロックを積み上げ、そのブロック内の底部にフィルター材を敷設しているので、潮の干満のある時には、水が枠状のブロックの下部よりフィルター材を通してブロック内に供給され、ブロック内の水の浄化作用を促進させることができ、生物が生息しやすい環境ができ、またブロック内の泥の表面に石等を適宜配設することにより、小動物の生息場所や隠れ場所を確保することができる。
【図面の簡単な説明】
【図１】本発明の枠積式生物共生護岸の一実施形態における側断面図である。
【図２】図１の正面図である。
【図３】図１の矢印Ａ部分の要部拡大断面図である。
【図４】図１の１段目の枠状ブロックの平面図である。
【図５】図１の２段目の枠状ブロックの平面図である。
【図６】図１の３段目の枠状ブロックの平面図である。
【図７】図１の４段目の枠状ブロックの平面図である。
【図８】図４から図７の枠状ブロックの正面図である。
【図９】本発明の枠積式生物共生護岸の他の実施形態における側断面図である。
【図１０】図９の正面図である。
【図１１】図９の矢印Ｂ部分の要部拡大断面図である。
【図１２】図９の大型の枠状ブロックの平面図である。
【図１３】図１２の正面図である。
【図１４】図９の小型の枠状ブロックの平面図である。
【図１５】図１４の正面図である。
【符号の説明】
４　　泥
５Ａ　枠状ブロック
５Ｂ　枠状ブロック
５Ｃ　枠状ブロック
５Ｄ　枠状ブロック
５Ｅ　枠状ブロック
５Ｆ　枠状ブロック
８　　砂
１０　フィルター材
１１　石
【図１】
2004068272.tif 000003
【図２】
2004068272.tif 000004
【図３】
2004068272.tif 000005
【図４】
2004068272.tif 000006
【図５】
2004068272.tif 000007
【図６】
2004068272.tif 000008
【図７】
2004068272.tif 000009
【図８】
2004068272.tif 000010
【図９】
2004068272.tif 000011
【図１０】
2004068272.tif 000012
【図１１】
2004068272.tif 000013
【図１２】
2004068272.tif 000014
【図１３】
2004068272.tif 000015
【図１４】
2004068272.tif 000016
【図１５】
2004068272.tif 000017